(57)【要約】      （修正有） 【課題】持ち運びがし易く、使用頻度の高いカードは取り出しやすい状態で収納することができ、使用頻度の低いカードを多数収納することができる長財布を提供する。【解決手段】前片部１１と後片部１２とを備え上方に開口する開口部１３を有し全体袋状の収納部本体１４と、後片部１２に連設される蓋部１５とを備えた長財布１０であって、収納部本体１４又は蓋部１５は、カード類を個別に収納しうる第一のカード収納部１９を備え、収納部本体１４は、紙幣収納部２０と、紙幣収納部２０の厚さ方向に隣接して配設される第二の収納部２１とを備え、第二の収納部２１は、両側端部２３には後片部１２との間に厚さ方向に折畳み可能に形成された折りマチ部２４を備えて側面視略扇状に開閉可能に形成されると共に、第二の収納部２１を厚さ方向に沿って仕切る仕切部２５が設けられることにより、複数枚のカード類を重ねた状態で収納可能な第二のカード収納部２６と小銭収納部２７とが夫々画成され、仕切部２５は厚さ方向に折畳み可能に形成される。【選択図】図１
0003201232.tif 000002
【実用新案登録請求の範囲】
【請求項１】
前片部と前記前片部の裏面側に配設される後片部とを備え上方に開口する開口部を有して全体袋状に形成された収納部本体と、前記後片部に連設され前記収納部本体の前記開口部を被覆しうる蓋部と、を備えた長財布であって、
前記収納部本体又は前記蓋部は、複数枚のカード類を１枚ずつ個別に収納しうる第一のカード収納部を備えており、前記収納部本体は、紙幣を折り畳まずに収納可能な紙幣収納部と、前記紙幣収納部の厚さ方向に隣接して配設される第二の収納部とを備えており、前記第二の収納部は、両側端部には前記後片部との間に厚さ方向に折畳み可能に形成された折りマチ部を備えて側面視略扇状に開閉可能に形成されていると共に、前記第二の収納部を厚さ方向に沿って仕切る仕切部が設けられることにより、複数枚のカード類を重ねた状態で収納可能な第二のカード収納部と小銭収納部とが夫々画成され、前記仕切部は厚さ方向に折畳み可能に形成されていることを特徴とする長財布。
【請求項２】
前記収納部本体は、平面視略横長長方形状に形成され、前記第一のカード収納部は、前記収納部本体の前面側に設けられており、前記蓋部は、前記後片部の上端部側より延設され、前記開口部を被覆しながら前記前片部に重なるように配されており、前記蓋部の前記前片部と接する面部には、前記蓋部を前記前片部に係止する係止手段が設けられていることを特徴とする請求項１記載の長財布。
【請求項３】
前記第一のカード収納部は、前記カード類を前記カード類の幅方向に沿って出し入れ可能なカード収納開口部を備え全体袋状に形成された複数の個別カード収納部より構成されており、前記個別カード収納部の深さ寸法は、前記カード類の幅寸法よりも小さく形成されていることを特徴とする請求項２記載の長財布。
【請求項４】
前記カード収納開口部は、前記収納部本体の前面側において長さ方向に沿って形成されており、前記個別カード収納部は夫々、前記カード収納開口部の位置が、前記前片部の幅方向において異なるように配設されていることを特徴とする請求項３記載の長財布。
【請求項５】
前記係止手段は、ホックであることを特徴とする請求項２記載の長財布。
【考案の詳細な説明】
【技術分野】
【０００１】
本考案は、カード収納部を有する長財布の改良に関する。
【背景技術】
【０００２】
一般に、長財布は、収納部を２つ折りにする財布と比べて、収納状態における厚さ寸法が小さくすることができ、例えばポケットに収納した際の圧迫感が小さくなると共に、全体の面積は大きいため、重厚感があるという利点がある。
【０００３】
さらに、蓋部によって表面が被覆される構成を持つ長財布は、線ファスナ等で被覆される財布と比べて、利用者に高級感を与えることができ需要を喚起することができる。
【０００４】
一方で、近年では、クレジットカードや免許証だけでなく、ポイントカードや会員カードなど多種類のカードがあり、持ち歩くカード類の数も多くなっている。
【０００５】
そこで、前述のような高級感を備えた長財布においても、多数のカード類を収納しておくことができる収納力があり、且つ使用頻度の高いカードをすぐに取り出すことができる長財布が望まれていた。
【０００６】
このような高い収納力を備えたものとしては、特許文献１から３のような長財布が開示されている。特許文献１の長財布は、蛇腹状に形成されたマチ部を備えた硬貨入れポケットが開示されており、高い収納力を備えている。しかしながら、硬貨入れポケットは、カード類を収納するために形成されたものではなかった。
【０００７】
特許文献２の財布は、蓋部にはカードを個別に収納できるカード入れ部を備えており、使用頻度の高いカード類を収納しておけば使用する際に取り出しやすく便利であり、また、前記カード入れ部の他に、開口した際に拡開する左右二室及び前後二室を備えている。しかしながら、左右二室及び前後二室は、カードを収納するために形成されてはおらず、カードを収納可能な大きさを備えているものではなかった。
【０００８】
特許文献３の財布は、カードを個別に収納できるカード収納部と、カード収納部よりも大きい面積に形成され、厚さ方向にも拡開可能な第一の貨幣収納部と第二の貨幣収納部を備えている。
【０００９】
しかしながら、特許文献３の財布は、厚さ方向に沿って収納部が重なって多数配置されており、財布全体の厚さ寸法が大きくなってしまうため、例えばポケットに挿入して気軽に持ち運べるものではなかった。持ち運びし易い長財布が望まれていた。
【特許文献１】公開特許第２００７−１６００５４号公報
【特許文献２】登録実用新案第３０６４０８２号公報
【特許文献３】登録実用新案第３１２５３６８号公報
【考案の開示】
【考案が解決しようとする課題】
【００１０】
そこで、本考案は、このような従来の要請に基づくものであって、持ち運びがし易く、使用頻度の高いカードは取り出しやすい状態で収納することができ、使用頻度の低いカードを多数収納することができる長財布を提供することを課題とする。
【課題を解決するための手段】
【００１１】
前記課題を解決するために、請求項１に記載の長財布にあっては、前片部と前記前片部の裏面側に配設される後片部とを備え上方に開口する開口部を有して全体袋状に形成された収納部本体と、前記後片部に連設され前記収納部本体の前記開口部を被覆しうる蓋部と、を備えた長財布であって、前記収納部本体又は前記蓋部は、複数枚のカード類を１枚ずつ個別に収納しうる第一のカード収納部を備えており、前記収納部本体は、紙幣を折り畳まずに収納可能な紙幣収納部と、前記紙幣収納部の厚さ方向に隣接して配設される第二の収納部とを備えており、前記第二の収納部は、両側端部には前記後片部との間に厚さ方向に折畳み可能に形成された折りマチ部を備えて側面視略扇状に開閉可能に形成されていると共に、前記第二の収納部を厚さ方向に沿って仕切る仕切部が設けられることにより、複数枚のカード類を重ねた状態で収納可能な第二のカード収納部と小銭収納部とが夫々画成され、前記仕切部は厚さ方向に折畳み可能に形成されていることを特徴とする。
【００１２】
従って、請求項１に記載の長財布は、収納部本体又は蓋部は、複数枚のカード類を１枚ずつ個別に収納しうる第一のカード収納部を備えているため、第一のカード収納部は、取出し易い位置に備えられておりカード類を個別に収納することができる。
【００１３】
また、第二の収納部は、両側端部には後片部との間に厚さ方向に折畳み可能に形成された折りマチ部を備えて側面視略扇状に開閉可能に形成されていると共に、第二の収納部を厚さ方向に沿って仕切る仕切部が設けられることにより、複数枚のカード類を重ねた状態で収納可能な第二のカード収納部と小銭収納部とが夫々画成され、仕切部は厚さ方向に折畳み可能に形成されていることから、第二のカード部は、多数のカード類を厚さ方向に重ねた状態で収納することができる。
【００１４】
また、財布の収納物のなかでも収納空間が大きくなるカード類と小銭の収納部である第二のカード収納部と小銭収納部が厚さ方向に仕切られて画成されるため、厚さ方向に隣接して設けられる場合と比べて、収納状態における収納部本体の厚さ寸法を小さくすることができる。
【００１５】
請求項２に記載の長財布にあっては、前記収納部本体は、平面視略横長長方形状に形成され、前記第一のカード収納部は、前記収納部本体の前面側に設けられており、前記蓋部は、前記後片部の上端部側より延設され、前記開口部を被覆しながら前記前片部に重なるように配されており、前記蓋部の前記前片部と接する面部には、前記蓋部を前記前片部に係止する係止手段が設けられていることを特徴とする。
【００１６】
従って、請求項２に記載の長財布は、蓋部は、後片部の上端部側より延設され、開口部を被覆しながら前片部に重なるように配されており、蓋部の前片部と接する面部には、蓋部を前片部に係止する係止手段が設けられていることから、蓋部は開口部を被覆した状態で前片部に係止することができる。
【００１７】
請求項３に記載の長財布にあっては、前記第一のカード収納部は、前記カード類を前記カード類の幅方向に沿って出し入れ可能なカード収納開口部を備え全体袋状に形成された複数の個別カード収納部より構成されており、前記個別カード収納部の深さ寸法は、前記カード類の幅寸法よりも小さく形成されていることを特徴とする。
【００１８】
従って、請求項３に記載の長財布は、第一のカード収納部は、複数の個別カード収納部より構成されており、個別カード収納部の深さ寸法は、カード類の幅寸法よりも小さく形成されていることから、カード類を個別カード収納部に収納した際には、幅方向端部がカード収納開口部より突出して利用者から見えるように収納される。
【００１９】
請求項４に記載の長財布にあっては、前記カード収納開口部は、前記収納部本体の前面側において長さ方向に沿って形成されており、前記個別カード収納部は夫々、前記カード収納開口部の位置が、前記前片部の幅方向において異なるように配設されていることを特徴とする。
【００２０】
請求項５に記載の長財布にあっては、前記係止手段は、ホックであることを特徴とする。従って、請求項５に記載の長財布は、前片部及び蓋部に夫々設けられたホックにより係止される。
【考案の効果】
【００２１】
請求項１に記載の長財布にあっては、第一のカード収納部は、取出し易い位置に備えられておりカード類を個別に収納することができるため、使用頻度の高いカードを収納することにより、取り出しやすい状態で収納することができる。
【００２２】
また、第二のカード部は、多数のカード類を厚さ方向に重ねた状態で収納することができるため、使用頻度の低いカードを多数収納することができると共に、折りマチ部を備え側面視略扇状に開閉可能に形成されていることから、開口面積が大きく、特定のカードを探し易く且つ取り出し易い。
【００２３】
また、カード類と小銭を収納した状態における収納部本体の厚さ寸法を小さくすることができるため、薄型に維持することができ持ち運びがし易い。
【００２４】
請求項２に記載の長財布にあっては、蓋部は開口部を被覆した状態で前片部に係止することができるため、不用意に開いて収納物を遺失してしまうことがない。特に請求項５に記載の長財布にあっては、前片部及び蓋部に夫々設けられたホックにより係止されるため、低コストに製造することができる。
【００２５】
請求項３に記載の長財布にあっては、使用頻度の高いカード類を収納する個別カード収納部には、カード類の幅方向端部がカード収納開口部より突出して利用者から見えるように収納されるため、利用者はカード類を取出さなくとも一目でカードの種類を認識することができる。
【００２６】
請求項４に記載の長財布にあっては、カード収納開口部の位置が、前片部の幅方向において異なるように配設されていることから、複数枚のカード類を個別に収納した際には、各カード類の幅方向端部が前片部の幅方向に隣接するように並ぶため、利用者は複数枚のカードの種類を一目で認識することができる。
【図面の簡単な説明】
【００２７】
【図１】図１は、本考案に係る長財布の一実施の形態を示した斜視図である。
【図２】図２は、本考案に係る長財布の一実施の形態を示した側面図である。
【図３】図３は、本考案に係る長財布の一実施の形態を示し、蓋部を閉じて係止した状態の側面図である。
【図４】図４は、本考案に係る長財布の一実施の形態を示し、カード及び硬貨を収納した状態を示した斜視図である。
【考案を実施するための最良の形態】
【００２８】
以下、本考案に係る長財布を実施の形態に基づき、図面を参照して詳細に説明する。
【００２９】
図１に示すように、本実施の形態に係る長財布１０は、前片部１１と前片部１１の裏面側に配設される後片部１２とを備え上方に開口する開口部１３を有して全体袋状に形成された収納部本体１４と、後片部１２に連設され収納部本体１４の開口部１３を被覆しうる蓋部１５とを備えている。本実施の形態においては、前片部１１、後片部１２、蓋部１５は夫々一体に形成され側面視三つ折り状に配設されている。
【００３０】
図１に示すように、収納部本体１４は、平面視略横長長方形状に形成され、蓋部１５は、後片部１２の上端部１６側より延設されている。本実施の形態においては、蓋部１５は、収納部本体１４と同じ長さ寸法に形成されると共に、略同一の幅寸法に形成されており、図２及び図３に示すように、幅方向に折り曲げられて開口部１３を被覆しながら前片部１１に外方より重なるように配されている。
【００３１】
図１に示すように、蓋部１５内側の前片部と接する面部１７には、蓋部１５を前片部１１に係止する係止手段１８が設けられている。本実施の形態においては、係止手段１８はホックであり、蓋部１５内側の前片部と接する面部１７には、長さ方向中央にゲンコ１８ａが固定され、一方、前片部１１のゲンコ１８ａが当接する箇所にはバネ１８ｂが固定されている。
【００３２】
図１に示すように、収納部本体１４は、複数枚のカード類を１枚ずつ個別に収納しうる第一のカード収納部１９を備えており、第一のカード収納部１９は、収納部本体１４の前面側に設けられている。
【００３３】
収納部本体１４は、紙幣を折り畳まずに収納可能な紙幣収納部２０と、紙幣収納部２０の厚さ方向に隣接して配設される第二の収納部２１とを備えている。
【００３４】
図１に示すように、本実施の形態においては、収納部本体１４は、紙幣の幅寸法及び長さ寸法よりもやや大きく形成された前片部１１、中間片部２２、後片部１２が厚さ方向に折りマチ部２４，２４を介して隣接して配設されている。前片部１１と中間片部２２によって画成されて紙幣収納部２０が形成され、中間片部２２と後片部１２によって画成されて第二の収納部２１が形成されている。
【００３５】
図１及び図２に示すように、第二の収納部２１は、両側端部２３，２３には後片部１２との間に厚さ方向に折畳み可能に形成された折りマチ部２４，２４が側面視略扇状に開閉可能に形成され、本実施の形態においては、折りマチ部２４は、紙幣収納部２０の両側端部にも設けられている。
【００３６】
また、図１に示すように、第二の収納部２１は、第二の収納部２１を厚さ方向に沿って仕切る仕切部２５が設けられることにより、複数枚のカード類を重ねた状態で収納可能な第二のカード収納部２６と小銭収納部２７とが夫々画成され、仕切部２５は厚さ方向に折畳み可能に形成されている。
【００３７】
図２に示すように、折りマチ部２４，２４，２４，２４及び仕切部２５は、側面視略逆三角形状に形成され、両側辺部が前片部１１と中間片部２２及び中間片部２２と後片部１２に縫合固定されている。折りマチ部２４，２４，２４，２４及び仕切部２５は、幅方向に沿って内側に向って折癖をつけた折り痕部２９が形成されている。
【００３８】
図１に示すように、第一のカード収納部１９は、カード類をカード類の幅方向に沿って出し入れ可能な６つのカード収納開口部３０を備え、全体袋状に形成された６つの個別カード収納部３１より構成されており、個別カード収納部３１の深さ寸法は、カード類の幅寸法よりも小さく形成されている。
【００３９】
図１から図３に示すように、カード収納開口部３０は、収納部本体１４の前面側において長さ方向に沿って形成されており、個別カード収納部３１は夫々、カード収納開口部３０の位置が、前片部１１の幅方向において異なり、互いに段違いになるように配設されている。
【００４０】
本実施の形態においては、図１に示すように、個別カード収納部３１は、収納部本体１４の幅方向に並列して２列配設されると共に幅方向の異なる位置に３箇所配設されている。
【００４１】
本実施の形態においては、第一のカード収納部１９の下方には、さらに前片部１１と同じ長さ寸法に形成され上方に開口を備えた第三の収納部３２を有している。
【００４２】
以下、本実施の形態に係る長財布の作用について、図面を参照して詳細に説明する。
【００４３】
本実施の形態に係る長財布１０は、以上のような構成を備えていることから、図４に示すように、利用者は、第一のカード収納部１９の６つの個別カード収納部３１に夫々、使用頻度の高いカード３３，３３をカード収納開口部３０より１枚ずつ個別に収納することができ、収納したカード３３，３３を取出す際も同様に１枚ずつ取り出すことができ操作が容易である。
【００４４】
このとき、図４に示すように、第一のカード収納部１９は、収納部本体１４の前面側に設けられているため、利用者が係止手段１８の係止状態を解除して蓋部１５を開放した際には、前面に第一のカード収納部１９が出現するため、第一のカード収納部１９に収納した使用頻度の高いカード３３，３３は取出し易い。
【００４５】
使用頻度の高いカード３３，３３を収納する個別カード収納部３１には、カード３３，３３の幅方向端部がカード収納開口部３０より突出して利用者から見えるように収納されるため、利用者はカード３３，３３を取出さなくとも一目でカード３３，３３の種類を認識することができる。
【００４６】
また、カード収納開口部３０の位置が、前片部１１の幅方向において異なるように配設されていることから、複数枚のカード３３，３３を個別に収納した際には、各カード３３の幅方向端部が前片部１１の幅方向に隣接するように並ぶため、利用者は複数枚のカード３３，３３の種類を一目で認識することができる。
【００４７】
図４に示すように、第二の収納部２１は、両側端部２３，２３には折りマチ部２４，２４を備えており、仕切部２５も折りマチ部２４同様に折り曲げ可能に形成され、側面視略扇状に開閉可能に形成されていることから、第二の収納部２１に画成される第二のカード収納部２６は、開口面積が大きいため出し入れし易く、使用頻度の低いカード３４，３４，３４を多数厚さ方向に重ねた状態で収納することができる。小銭収納部２７も同様に硬貨３５を出し入れ容易である。
【００４８】
また、蓋部１５を閉じて係止手段１８を係止している状態においては、第二の収納部２１は、折りマチ部２４，２４及び仕切部２５が折り痕部２９より２つ折りに折り曲げられて厚さ寸法が小さくなる。
【００４９】
また、図４に示すように、財布の収納物のなかでも比較的大きな収納空間を要するカード類と小銭の収納部である第二のカード収納部２６と小銭収納部２７が仕切部２５により画成され、長財布１０の長さ方向において夫々隣接して設けられているため、長財布の厚さ方向に隣接して設けられる場合と比べて、収納状態における収納部本体１４の厚さ寸法を小さくすることができる。
【００５０】
図３に示すように、蓋部１５により開口部１３を被覆して、図４に示すように、蓋部１５に固定されたゲンコ１８ａと前片部１１に固定されたバネ１８ｂを互いに係合させることにより、蓋部１５が不用意に開いて収納物を遺失してしまうことがない。さらに、本実施の形態においては、第三の収納部３２を有していることから、レシートや領収書等を収納しておくことができる。
【００５１】
本実施の形態においては、第一のカード収納部１９は、収納部本体１４に備えられている例を説明したが、これに限定されることはなく、例えば蓋部の前片部と接する面部に形成されていても良く、前片部に形成した場合と同様に取り出しやすい。
【産業上の利用可能性】
【００５２】
本考案に係る長財布は、貨幣とカード類を収納することができる財布として広く利用することができることから産業上利用可能性を有している。
【符号の説明】
【００５３】
１０    長財布
１１    前片部
１２    後片部
１３    開口部
１４    収納部本体
１５    蓋部
１６    上端部
１７    前片部と接する面部
１８    係止手段
１８ａ  ゲンコ
１８ｂ  バネ
１９    第一のカード収納部
２０    紙幣収納部
２１    第二の収納部
２２    中間片部
２３    両側端部
２４    折りマチ部
２５    仕切部
２６    第二のカード収納部
２７    小銭収納部
２９    折り痕部
３０    カード収納開口部
３１    個別カード収納部
３２    第三の収納部
３３    使用頻度の高いカード
３４    使用頻度の低いカード
３５    硬貨
【図１】
0003201232.tif 000003
【図２】
0003201232.tif 000004
【図３】
0003201232.tif 000005
【図４】
0003201232.tif 000006